(57)【特許請求の範囲】
【請求項１】
筐体に、ＬＥＤ素子が実装されたＬＥＤ基板と、前記ＬＥＤ素子を点灯駆動するための点灯回路を構成する電子部品が実装された点灯ユニットと、前記ＬＥＤ素子の点減動作を制御するセンサユニットと、を備え
筐体の内部は、前記ＬＥＤ基板を上面部に配置したＬＥＤ照射部と、前記点灯ユニットの収納部とが中央面部で区画され、前記点灯ユニットの収納部の端部方向に前記センサユニットが配置されており、
前記ＬＥＤ照射部のＬＥＤ照射方向は、透光性カバーで覆われるとともに、前記点灯ユニットの収納部は、前記透光性カバーと略同一平面状の点灯ユニットカバーで覆われており、
前記センサユニットは、前記透光性カバー及び前記点灯ユニットカバーと略同一平面状のセンサユニットカバーで覆われていることを特徴とするＬＥＤ照明装置。
【請求項２】
前記センサユニットは、発光素子と受光素子を搭載した基板と、前記発光素子及び前記受光素子を覆うセンサ保護カバーと、前記センサ保護カバーを含む前記基板の全体を覆うセンサカバー部材と、を備えており、
前記センサカバー部材に前記センサユニットカバーが被着されていることを特徴とする請求項１に記載のＬＥＤ照明装置。
【請求項３】
前記センサ保護カバーは、前記発光素子の収納部と前記受光素子の収納部が仕切面で仕切られており、前記発光素子の収納部には発光素子の頂部を露出する開口部が形成され、前記受光素子の収納部には受光素子の頂部を露出する開口部が形成されていることを特徴とする請求項２に記載のＬＥＤ照明装置。
【請求項４】
前記センサカバー部材に前記発光素子及び前記受光素子の光が透過するセンサ窓が設けられ、前記センサユニットカバーに前記センサ窓が嵌合するセンサ開口部が設けられていることを特徴とする請求項２又は請求項３に記載のＬＥＤ照明装置。
【請求項５】
前記基板に作動モード切換えスイッチが搭載されており、前記センサカバー部材と前記センサユニットカバーの前記作動モード切換えスイッチに対応した位置に開口部が設けられていることを特徴とする請求項２〜請求項４のいずれかに記載のＬＥＤ照明装置。
【請求項６】
前記センサユニットカバーにＬＥＤランプ本体のＯＮ／ＯＦＦスイッチを設け、前記センサユニットカバー部材に前記ＯＮ／ＯＦＦスイッチの端子と絶縁するためのスイッチ絶縁部を設けたことを特徴とする請求項２〜請求項５のいずれかに記載のＬＥＤ照明装置。
【発明の詳細な説明】
【技術分野】
【０００１】
本発明は、ＬＥＤ素子を光源に使用したＬＥＤ照明装置に関し、特に天井面や側壁に直接取り付ける直付型ＬＥＤ照明装置における光源の点減動作に関するものである。
【背景技術】
【０００２】
近年、環境意識の高まりから、省電力化に優れたＬＥＤ素子を光源に使用した、電源内蔵型の電球型ＬＥＤランプが普及してきた。更に最近は、天井埋め込み型のダウンライトや、天井直付型のシーリングライトにおいても、ＬＥＤ素子を使用した照明装置が開発され、市場に導入されてきている。
【０００３】
天井面や側壁に直接取り付ける照明装置は、光信号を発信する投光器と、この投光器より発信された光信号の物体からの反射信号を受信する受光器とを一体に併設して反射信号の受信に応じて照明装置の光源の点減動作を制御する反射型光電センサのスイッチ手段を具備している。反射型光電センサの光信号の投受光部とそのセンサ検知窓とを、照明装置の本体長さの変化に関わらず照明装置の本体前面カバーの中央部に設けている照明装置が検討されている（例えば、特許文献１等参照）。
【０００４】
この特許文献１に記載されている照明装置は、反射型光電センサの投受光部を照明装置の本体長さの変化に関わらず照明装置本体の前面カバーの中央部に配設して、照明を円滑にＯＮ／ＯＦＦ操作でき、このため使用者の操作のための移動範囲が短縮され、調理作業の効率化が図れて使い勝手が良くなる照明装置が提供される。
【０００５】
しかし、この特許文献１に記載されている照明装置においては、本体前面カバーの中央部に投受光部を設けているために、外観的な体裁も悪いばかりか、部材や工数のコストが掛かり、構造や配線等が複雑になるという問題が生じていた。
【先行技術文献】
【特許文献】
【０００６】
【特許文献１】特許第２９６９９０１号公報
【発明の概要】
【発明が解決しようとする課題】
【０００７】
本発明が解決しようとする課題は、上記の問題点に鑑みて提案されたものであり、簡単な構成により、小型化による工数とコスト削減をすることができるとともに、ＬＥＤ素子の点灯誤作動を防止し、外観上の体裁も良い薄型化したＬＥＤ照明装置を提供することにある。
【課題を解決するための手段】
【０００８】
上記課題を解決するため、請求項１に記載の発明にあっては、筐体に、ＬＥＤ素子が実装されたＬＥＤ基板と、前記ＬＥＤ素子を点灯駆動するための点灯回路を構成する電子部品が実装された点灯ユニットと、前記ＬＥＤ素子の点減動作を制御するセンサユニットと、を備え
筐体の内部は、前記ＬＥＤ基板を上面部に配置したＬＥＤ照射部と、前記点灯ユニットの収納部とが中央面部で区画され、前記点灯ユニットの収納部の端部方向に前記センサユニットが配置されており、
前記ＬＥＤ照射部のＬＥＤ照射方向は、透光性カバーで覆われるとともに、前記点灯ユニットの収納部は、前記透光性カバーと略同一平面状の点灯ユニットカバーで覆われており、
前記センサユニットは、前記透光性カバー及び前記点灯ユニットカバーと略同一平面状のセンサユニットカバーで覆われていることを特徴とする。
【０００９】
また請求項２の発明にあっては、前記センサユニットは、発光素子と受光素子を搭載した基板と、前記発光素子及び前記受光素子を覆うセンサ保護カバーと、前記センサ保護カバーを含む前記基板の全体を覆うセンサカバー部材と、を備えており、
前記センサカバー部材に前記センサユニットカバーが被着されていることを特徴とする。
【００１０】
また請求項３の発明にあっては、前記センサ保護カバーは、前記発光素子の収納部と前記受光素子の収納部が仕切面で仕切られており、前記発光素子の収納部には発光素子の頂部を露出する開口部が形成され、前記受光素子の収納部には受光素子の頂部を露出する開口部が形成されていることを特徴とする。
【００１１】
また請求項４の発明にあっては、前記センサカバー部材に前記発光素子及び前記受光素子の光が透過するセンサ窓が設けられ、前記センサユニットカバーに前記センサ窓が嵌合するセンサ開口部が設けられていることを特徴とする。
【００１２】
また請求項５の発明にあっては、前記基板に作動モード切換えスイッチが搭載されており、前記センサカバー部材と前記センサユニットカバーの前記作動モード切換えスイッチに対応した位置に開口部が設けられていることを特徴とする。
【００１３】
また請求項６の発明にあっては、前記センサユニットカバーにＬＥＤランプ本体のＯＮ／ＯＦＦスイッチを設け、前記センサユニットカバー部材に前記ＯＮ／ＯＦＦスイッチの端子と絶縁するためのスイッチ絶縁部を設けたことを特徴とする。
【発明の効果】
【００１４】
請求項１〜請求項６の発明によれば、簡単な構成により、小型化による工数とコスト削減をすることができるとともに、ＬＥＤ素子の点灯誤作動を防止し、外観上の体裁も良い薄型化したＬＥＤ照明装置を提供することができる。また、下述する本発明の実施形態で説明した特有の効果が得られる。
【図面の簡単な説明】
【００１５】
【図１】本実施形態に係わるＬＥＤ照明装置の外観斜視図
【図２】本実施形態に係わるＬＥＤ照明装置の分解斜視図
【図３】本実施形態に係わるＬＥＤ照明装置の断面図
【図４】本実施形態に係わる筐体の外観斜視図
【図５】本実施形態に係わる点灯ユニットの分解斜視図
【図６】本実施形態に係わるセンサユニットとセンサユニットカバーの外観斜視図
【図７】本実施形態に係わるセンサユニットの分解斜視図
【図８】本実施形態に係わるセンサユニットカバーの外観斜視図
【図９】本実施形態に係わる筐体端部内部の斜視図
【図１０】本実施形態に係わる端部カバーの外観斜視図
【発明を実施するための形態】
【００１６】
以下に本発明の好適な実施の形態について、図面を参照しながら詳細に説明する。なお本実施形態は一例であり、これに限定されるものではない。
【００１７】
図１乃至図３は、本発明のＬＥＤ照明装置１００の実施の形態の一つを示し、この実施形態に係わるＬＥＤ照明装置１００は、図１乃至図３に示すように、天井面や側壁等の被取付部５に固定されるＬＥＤランプ本体２を備えている。
【００１８】
このＬＥＤ照明装置１００は、図１及び図２に示すように、外部電源線（Ｆケーブル）４が出ている直径１５ｍｍの通孔５ａがあいた天井面や側壁等の被取付部５に、ＬＥＤランプ本体２の筐体２１の電力供給孔２１ｂを合わせて、筐体２１の直付孔２１ｃをネジ等の固定手段により固定する。直付孔２１ｃの一方は、だるま穴となっており、固定作業がし易い構造となっている。ＬＥＤランプ本体２が固定されるときに、ＬＥＤランプ本体２と外部電源線４とが速結端子７を用いて接続され、ＬＥＤ照明装置１００が使用可能となる。
【００１９】
（１．ＬＥＤランプ本体）
ＬＥＤランプ本体２は、図１乃至図３に示すように、筐体２１と、筐体２１の内部に収納される外部電源線４が接続されてＬＥＤ素子２３を点灯させる点灯回路を構成する各種電子部品とが実装された点灯基板２７ｅ（図５）からなる点灯ユニット２７と、スイッチとセンサ部が設置されているセンサユニット２８と、複数のＬＥＤ素子２３を搭載しているＬＥＤ基板２２と、点灯ユニット２７を覆う点灯ユニットカバー２５と、ＬＥＤ基板２２を配置した位置の筐体２１の開口部を覆う透光性カバー２４とから概略構成されている。
【００２０】
（２．筐体）
筐体２１は、図２乃至図４に示すように、全体が略矩形体であり、アルミニウムの押出成形による一体成形で作成されている。筐体２１は、長方形の上面部２１ｉと、上面部２１ｉの幅方向一側部から垂直に延出した背面部２１ｈと、背面部２１ｈと対向するように上面部２１ｉの中央部から垂直に延出した中央面部２１ｆと、上面部２１ｉの幅方向他側部から垂直に延出した前面部２１ｄから、概略構成されている。上面部２１ｉには上述した電力供給孔２１ｂと直付孔２１ｃが開口されている。中央面部２１ｆによって筐体２１の内部はＬＥＤ基板収納部と点灯ユニット収納部に区画されている。中央面部２１ｆは筐体２１の内部中央部に配置する必要はなく、ＬＥＤ基板又は点灯ユニットの構成割合に応じて配置位置を変更できる。
【００２１】
前面部２１ｄと背面部２１ｈの上端部は上面部２１ｉに突出しており、中央面部２１ｆに対応する上面部２１ｉには凸部２１ｊが突設されている。これにより、天井面や側壁等の被取付部５に固定するときに、被取付部５の凹凸部分を吸収して、取り付け固定できることが可能となる。
【００２２】
中央面部２１ｆと前端部２１ｄの筐体内部の上面部２１ｉ側には、ＬＥＤ基板２２を装着させるための凹状の基板装着部２１ｅが設けられており、ＬＥＤ基板２２がスライド挿入されて装着される。同様に、中央面部２１ｆと前端部２１ｄの開放端側に、透光性カバー２４を装着させるための凹状の１対の透光性カバー装着部２１ｒが設けられており、透光性カバー２４がスライド挿入されて装着される。また、中央面部２１ｆと背面部２１ｈの開放端側に、点灯ユニットカバー２５とセンサユニットカバー２９を装着させるための１対の凹凸状の装着部２１ｓが設けられており、点灯ユニットカバー２５とセンサユニットカバー２９がスライド挿入されて装着される。点灯ユニットカバー２５は、撓ませることによっても固定することができる。
また、ＬＥＤ素子２３の搭載面側の筐体２１の中央面部２１ｆと前面部２１ｄの内面側を、光沢面にすることや、高反射シートを貼合することや、高反射用樹脂を塗布することにより、ＬＥＤ素子２３の照射光が中央面部２１ｆと前面部２１ｄの内面の間で反射を繰り返し、光の反射効率を高め、光取り出し効率を改善することができる。
【００２３】
点灯ユニット２７を収納する筐体２１の上面部２１ｉ部分内側に、筐体２１の長手方向に並行に凸形状の位置決め部２１ｇが設けられており、点灯ユニット２７の凹形状と嵌合させることにより、位置決めを行うことが可能になる。位置決め部２１ｇの凸形状は、その部分のアルミニウムの厚さを厚くしているので、位置決め部２１ｇにネジ溝を切って、点灯ユニット２７を固定するネジを直接に位置決め部２１ｇに挿入することによって固定することが可能となっている。同様に、筐体２１の長手方向両端部は、端部カバー２６ａ，２６ｂと嵌着する部分の複数の箇所にネジを挿入できるようにアルミニウムによる凹部を作成しておくことにより、端部カバー２６を固定するネジを直接挿入して固定することが可能になっている。これにより、簡単に嵌め込むことができ作業性が向上し、工数とネジ挿入部を設けるコストを削減することができる。
また、筐体２１の内側に配線を固定するための配線留め具８が設けられおり、筐体２１の配線整理を行うことができる。
【００２４】
（３．ＬＥＤ基板）
ＬＥＤ基板２２は、図２乃至図３に示すように、長方形の形状であり、ＬＥＤ素子２３が搭載されて、筐体２１の基板装着部２１ｅにスライド挿入されることにより、装着されている。これにより、ＬＥＤ基板２２が、筐体２１に接触しているので、ＬＥＤ素子２３の発熱を放熱して、温度上昇を抑制することが可能である。ＬＥＤ基板２２の下面部にはＬＥＤ素子２３が長手方向の筐体２１の中央に１列で整列されて配置されている。ＬＥＤ基板２２の一方端に基板接続端子２２ａが設けられ、点灯ユニット２７と電気的に接続されている。
【００２５】
また、ＬＥＤ素子２３の搭載面側に、高反射シートを貼合することや、高反射用樹脂を塗布することにより、光取り出し効率を改善することができる。
なお、このＬＥＤ基板２２に実装されるＬＥＤ素子２３としては、公知の種々のＬＥＤ素子や有機ＥＬ素子等を用いることができる。図示の実施の形態では、照明用の白色光を発光する高輝度タイプのＬＥＤ素子が用いられている。
【００２６】
（４．透光性カバー）
透光性カバー２４は、ポリカーボネートを使用して、長方形の形状に成型されている。図２乃至図３に示すように、透光性カバー２４は、筐体２１の前部２１ｄと中央面部２１ｆの端部に設けられた凹部分に、長手方向の端辺部をスライド挿入して、端部を端部カバー２６により嵌合されて固定されている。
【００２７】
この透光性カバー２４は、図２乃至図３に示すように、透光性カバー２４に高密度となる光拡散面を形成するシボ加工を施したり、材料に拡散剤を含有させたりして、光を均一に照射することができる。また、透光性カバー２４で反射された光が拡散反射され、さらに、筐体２１の前部２１ｄと中央面部２１ｆでも反射され、これが繰り返されて透光性カバー２４の全面を光らせることができ、光源として均一に光を照射している。
このことにより、透光性カバー２４の全面において、ＬＥＤ素子２３からの光を均一に照射することが可能となっている。
【００２８】
（５．点灯ユニット）
点灯ユニット２７は、図２乃至図３及び図５に示すように、筐体２１の上面部２１ｉ内側において、位置決め部２１ｇに嵌合して設置されている。点灯ユニット２７は、ＬＥＤ素子２３を点灯させるための点灯回路２７ｄとそれを保護している絶縁カバー２７ｃと金属カバー２７ａから構成されている。点灯回路２７ｄは、電子部品２７ｆを搭載した点灯基板２７ｅからなり、電源端子台２７ｉにおいて外部電源線４と接続されている。点灯回路２７ｄは、筐体２１と絶縁するために、ポリカーボネイト製の絶縁カバー２７ｃによって、覆われている。また、点灯回路２７ｄを構成する各種の電子部品２７ｆは、過電流保護、ノイズカット、整流、平滑、調光制御などを行うための各種ダイオード、コンデンサー、ＩＣ、抵抗などの公知の電子部品である。
【００２９】
さらに、絶縁カバー２７ｃは、外部に不要なノイズを遮断するための金属カバー２７ａにより覆われている。金属カバー２７ａの端部に、点灯回路２７ｄからの配線用コネクタが、金属カバー２７ａの外部に出せるように、金属カバー２７ａと金属カバー２７ａ底の両端から延出している金属延出部２７ｂにまたがって、略円形の取出穴２７ｇが形成されている。金属延出部２７ｂの底面の凹形状部２７ｈを、筐体２１の位置決め部２１ｇに嵌合して、金属延出部２７ｂを、ネジにより筐体２１の位置決め部２１ｇに固定する。金属延出部２７ｂを筐体２１に固定するときに、点灯ユニット２７からのグランド線を一緒に、筐体２１に固定する。これにより、点灯ユニット２７から発生するノイズを減衰させることが、可能となる。金属カバー２７ａと絶縁カバー２７ｃの長さ方向の一端面部には外部電源線４を挿入する取出穴２７ｇと挿入孔２７ｊが開口されている。
【００３０】
また、点灯ユニット２７の筐体２１への固定方法としては、上記のネジによる固定方法のほかに、点灯ユニット２７を筐体２１にスライドで挿入させて、筐体２１の背面部２１ｈとの間に、ばねを配置して固定することも可能である。
【００３１】
（６．点灯ユニットカバー）
点灯ユニットカバー２５は、ポリカーボネートを使用して、長方形の形状に成型されている。図２乃至図３に示すように、筐体２１の背面部２１ｈと中央面部２１ｆの間に、点灯ユニットカバー２５を撓ませて挿入して嵌合させる。これにより、外部より点灯ユニット２７と、その配線が見えなくすることが、可能となる。点灯ユニットカバー２５は、図１、図３に示すように、透光カバーと略同一平面状となるように配置されている。
【００３２】
（７．センサユニット）
センサユニット２８は、図１に示すように、その表面部（後述するセンサユニットカバー２９の表面部）が透光性カバー２４面と略同一平面となるように配置され、光信号を発信するＬＥＤ２８ｄと、ＬＥＤ２８ｄより発信された光信号の物質からの反射信号を受信する受光素子２８ｅとを一体に併設されている。センサユニット２８は、図２及び図６乃至図７に示すように、一方が開放されて、ポリカーボネートを使用して作成されている長方体形状のセンサカバー部材２８ａに、センサ基板２８ｃを挟み爪２８ｍにより、挟み込んで固定している。これにより、工数とコストの削減を行うことができる。センサカバー部材２８ａには、外部からの光を透過するセンサ窓２８ｉと、スライドスイッチ２８ｆの操作部を外部に出すためのスライドスイッチ窓２８ｊと、スイッチ２９ａの端子との絶縁を図るためのスイッチ絶縁部２８ｋが設けられている。センサ基板２８ｃの表面に、ＬＥＤ２８ｄと受光素子２８ｅとスライドスイッチ２８ｆとセンサ接続端子２８ｇが、センサ基板２８ｃの裏面に、電子部品２８ｈ（図６）が搭載されている。
【００３３】
これにより、ＬＥＤと受光素子が一つの基板に搭載されて一体化されているので、小型化、薄型化を図ることができ、工数とコストの削減をすることができる。
【００３４】
さらに、ＬＥＤ２８ｄの光が、受光素子２８ｅに漏れて誤動作しないように、黒のシリコンにより作成されたセンサ保護カバー２８ｂによりＬＥＤ２８ｄと受光素子２８ｅが覆われている。センサ保護カバー２８ｄは、略円筒状のＬＥＤ収納部２８ｏと略立方体形状の受光素子収納部２８ｐから構成され、これらＬＥＤ収納部２８ｏと受光素子収納部２８ｐの内部は仕切面２８ｓで仕切られている。また各収納部２８ｏ，２８ｐの上面部には、ＬＥＤ２８ｄ、受光素子２８ｅの頂部を露出する開口部２８ｑ，２８ｒが開口されている。センサ基板２８ｃには、センサ接続端子２８ｇが設けられ、点灯ユニット２７と電気的に接続されている。これにより、ＬＥＤ２８ｄ、受光素子２８ｅは、センサ保護カバー２８ｄの内部において仕切面２８ｓで仕切られているため、相互の影響を少なくし誤動作を防いで、作動精度を向上させることができる。
【００３５】
ＬＥＤ２８ｄから出力された光は、センサ窓２８ｉを透して外部に出力され、外部で手等の反射物で反射された光が再度センサ窓２８ｉを透して受光素子２８ｅに入力されて、センサ基板２８ｃで反射を判断される。これにより、ＬＥＤランプ本体２のＯＮ／ＯＦＦを制御する構成となっている。スライドスイッチ２８ｆは、３つの設定ができるスイッチで、本実施形態では３モードで用いている。第１のモードは、ＯＦＦ（センサによる制御はしない）で、第２のモードは、ＯＮ（センサによる制御はするが、センサ検出距離は短い）で、第３のモードは、ＯＮ（センサによる制御はするが、センサ検出距離は長い）と設定されている。
【００３６】
（８．センサユニットカバー）
センサユニットカバー２９は、図２及び図６及び図８に示すように、長方形の略平板形状に成型されている。センサユニットカバー２９にセンサユニット２８のセンサカバー部材２８ａが固定され、センサユニットカバー２９が、筐体２１の背面部２１ｈと中央面部２１ｆの間に、スライドにより挿入される。これにより、外部よりセンサユニット２８が見えなくすることが可能となる。センサユニットカバー２９はセンサユニット２８の表面カバーとなるものであり、その平面部は前記透光性カバー２４と略同一平面となるように配置される。また、センサユニットカバー２９は、図１、図２に示すように、点灯ユニットカバー２５とも略同一平面状となるように配置される。
【００３７】
センサユニットカバー２９には、ＬＥＤランプ本体２をＯＮ／ＯＦＦするスイッチ２９ａと、センサ窓２８ｉと嵌合するセンサ開口部２９ｂと、スライドスイッチ２８ｆを外部から操作できるようにするスライドスイッチ開口部２９ｃが、設けられている。
【００３８】
（９．端部カバー）
端部カバー２６ａ，２６ｂは、図２及び図９乃至図１０に示すように、一対で、筐体２１の両端を覆いＬＥＤランプ本体２を構成するものであり、端部カバー２６ａと、端部カバー延出部２６ｃが設けられている端部カバー２６ｂの２種類よりなる。端部カバー２６ｂは、背面部２１ｈから外部電源線４を供給できるように、端部カバー延出部２６ｃに、押圧することにより閉塞板が破断して開口可能なケーブル用開口部２６ｄを設けている。これにより、ＬＥＤ照明装置１００に上面以外からケーブル挿入が可能になり、多方面の用途に対応することができる。
【００３９】
端部カバー２６ａは、筐体２１とＬＥＤ基板２２と透光性カバー２４とセンサユニットカバー２９の各端面と嵌合させて、覆いネジにより筐体２１に固定されている。このとき、ＬＥＤ基板２２の基板接続端子２２ａと点灯ユニット２７を接続する電線を配線するために、筐体２１の中央面部２１ｆの端部の設けられている配線用開口部２１ｍは、シリコンゴム製の封止栓２１ｎにより封止される。
【００４０】
また、端部カバー２６ｂは、筐体２１又は端部カバー挿入開口部２１ｐとＬＥＤ基板２２と透光性カバー２４と点灯ユニットカバー２５の各端面と嵌合させて、覆いネジにより筐体２１に固定されている。これにより、ＬＥＤランプ本体２は、取り付けのときに使用する点灯ユニットカバー２５以外は、固定される構造となり、粉塵や虫等が侵入するのを防ぐ効果も併せて生じさせることができる。
【００４１】
（１０．動作）
本発明のＬＥＤ照明装置１００の取付方法と操作方法について、説明する。まず、ＬＥＤランプ本体２の点灯ユニットカバー２５を外して、電力供給孔２１ｂに、被取付部５の外部電源線４を挿通して、速結端子７と接続する。ＬＥＤランプ本体２の直付孔２１ｃを用いて、ネジ等の固定手段によりＬＥＤランプ本体２を被取付部５に固定する。その後、点灯ユニットカバー２５を筐体２１に嵌め込み、ＬＥＤ照明装置１００の取付が完了する。
センサユニットカバー２９のスイッチ２９ａにより、ＬＥＤ照明装置１００のＯＮ／ＯＦＦ操作を行う。また、センサユニットカバー２９のスライドスイッチ開口部２９ｃから操作するスライドスイッチ２８ｆにより、センサの検出モードを切換えることができる。センサによる検出モードをＯＮにすることにより、ＬＥＤ２８ｄからの光がセンサカバー部材２８ａを透過して、センサユニットカバー２９のセンサ開口部２９ｂから照射される。照射された光が、手等により反射してセンサユニットカバー２９のセンサ開口部２９ｂから、センサカバー部材２８ａを透過して受光素子２８ｅに入力される。入力された光の強さにより、ＬＥＤ照明装置１００のＯＮ／ＯＦＦ操作が行われる。
【００４２】
（１１．その他）
本発明のＬＥＤ照明装置１００は、筐体２１の上面部２１ｉを直接被取付部５に固定する形態について、記載したが、別に取付板を設けて取り付けることも可能である。これにより、使用者が用途に合わせて、ＬＥＤ照明装置１００の取付場所を自由に選択できるように設定されている。
【００４３】
以上のように、本実施形態では、センサユニットの構成により、小型化による工数とコスト削減をすることができる、正確な動作を行う薄型化したＬＥＤ照明装置を提供し、良好な意匠性を示している。
【００４４】
以上、この発明の実施の形態を説明したが、この発明は、これらの実施の形態に限られるものではなく、この発明の要旨を逸脱しない範囲の設計変更があっても本発明に含まれる。すなわち、当業者であれば、当然なし得る各種変形、修正もまた本発明に含まれる。
【産業上の利用可能性】
【００４５】
本発明は、キッチンやクローゼット、更に、流し台、棚下等の天板や壁側面等に沿って設置されるＬＥＤ照明装置として、広く適用することができる。
【符号の説明】
【００４６】
２：ＬＥＤランプ本体
２１：筐体
２１ｂ：電力供給孔
２１ｃ：直付孔
２１ｄ：前面部
２１ｅ：基板装着部
２１ｆ：中央面部
２１ｇ：位置決め部
２１ｈ：背面部
２１ｉ：上面部
２１ｊ：凸部
２１ｍ：配線用開口部
２１ｎ：封止栓
２１ｐ：端部カバー挿入開口部
２２：ＬＥＤ基板 
２２ａ：基板接続端子
２３：ＬＥＤ素子
２４：透光性カバー
２５：点灯ユニットカバー
２６：端部カバー
２６ａ：端部カバーＡ
２６ｂ：端部カバーＢ
２６ｃ：端部カバー延出部
２６ｄ：ケーブル用開口部
２７：点灯ユニット
２７ａ：金属カバー
２７ｂ：金属延出部
２７ｃ：絶縁カバー
２７ｄ：点灯回路
２７ｅ：点灯基板
２７ｆ：電子部品Ａ
２７ｇ：取出穴
２７ｈ：凹形状部
２７ｉ：電源端子台
２７ｊ：挿入孔
２８：センサユニット
２８ａ：センサカバー部材
２８ｂ：センサ保護カバー
２８ｃ：センサ基板
２８ｄ：ＬＥＤ
２８ｅ：受光素子
２８ｆ：スライドスイッチ
２８ｇ：センサ接続端子
２８ｈ：電子部品Ｂ
２８ｉ：センサ窓
２８ｊ：スライドスイッチ窓
２８ｋ：スイッチ絶縁部
２８ｍ：挟み爪
２８ｏ：ＬＥＤ収納部
２８ｐ：受光素子収納部
２８ｑ：開口部
２８ｒ：開口部
２８ｓ：仕切面
２９：センサユニットカバー
２９ａ：スイッチ
２９ｂ：センサ開口部
２９ｃ：スライドスイッチ開口部
４： 外部電源線
５： 被取付部
５ａ：通孔
７：速結端子
８：配線留め具
１００：ＬＥＤ照明装置
【要約】
【課題】簡単な構成により、小型化による工数とコスト削減をすることができるとともに、ＬＥＤ素子の点灯誤作動を防止し、外観上の体裁も良い薄型化したＬＥＤ照明装置を提供する。
【解決手段】筐体に、ＬＥＤ素子が実装されたＬＥＤ基板と、前記ＬＥＤ基板を覆う透光性カバー２５と、前記ＬＥＤ素子を点灯駆動するための点灯回路を構成する電子部品が実装された点灯ユニットと、前記ＬＥＤ素子の点減動作を制御するセンサユニットと、を備えたＬＥＤ照明装置１００である。センサユニットは、該センサユニットの表面部となるセンサユニットカバー２９が前記透光性カバー２５の表面と略同一平面となるように配置されている。センサユニットは、発光素子と受光素子を備えている。
【選択図】図１【図１】
0005563704.tif 000002
【図２】
0005563704.tif 000003
【図３】
0005563704.tif 000004
【図４】
0005563704.tif 000005
【図５】
0005563704.tif 000006
【図６】
0005563704.tif 000007
【図７】
0005563704.tif 000008
【図８】
0005563704.tif 000009
【図９】
0005563704.tif 000010
【図１０】
0005563704.tif 000011